(57)【要約】【課題】三脚の脚部分で影とならずに対象範囲全てに水平ラインを出すことができるレーザー墨出し器用支持機構。【解決手段】三脚の上部支持台２を貫通して上下動可能に支持された垂直支持柱５に、レーザー墨出し器用取付座２０ｂを水平に備えた取付部材２０を設け、上記取付座２０ｂを、上記三脚のうちの２つの脚４の間で、かつ上記レーザー墨出し器６から投射されたレーザー光Ｌが上記２つの脚４に遮られない位置に突出させて配置した。【選択図】図４
2007163281.tif 000002
【特許請求の範囲】
【請求項１】
三脚の上部支持台を貫通して支持された垂直支持柱に、レーザー墨出し器用取付座を水平に備えた取付部材を設け、上記取付座を、上記三脚のうちの２つの脚の間で、かつ上記レーザー墨出し器から投射されたレーザー光が上記２つの脚に遮られない位置に突出させて配置した
ことを特徴とするレーザー墨出し器用支持機構。
【請求項２】
上記取付部材は、垂直板と取付座とをＬ字形に形成してなり、上記垂直板の上端を上記垂直支持柱に設けられたホルダに着脱可能に設けたことを特徴とする、請求項１に記載のレーザー墨出し器用支持機構。
【請求項３】
上記ホルダは上記垂直支持柱に沿って移動可能に設けられたことを特徴とする、請求項１又は２に記載のレーザー墨出し器用支持機構。
【発明の詳細な説明】
【技術分野】
【０００１】
本発明は、土木建築の工事現場において建築物の壁面や床面、天井面の位置や高さの基準となるレーザー光を投射するレーザー墨出し器を支持するレーザー墨出し器用支持機構に関するものである。
【背景技術】
【０００２】
近年、土木建築の工事現場では、建築物の壁面や床面、天井面に表示される釘の打ち込み等の基準線を表示するものとしてレーザー光を利用したレーザー墨出し器が知られている。レーザー墨出し器はレーザー光投射装置で、市販されている測量機用三脚エレベータに取り付けられ、レーザー光の高さ、角度等を調節するものである。
【０００３】
ところで、レーザー光の水平ラインが床面から腰程度の高さ以上では、図６に示すようにカメラなどに使用している脚の伸縮できる三脚を使用し、それより低い場合には床面に直置にするか、足の短い専用の三脚を使用するか、あるいは特許文献１に示されるように、垂直支持柱の下部に固定された取付金具にレーザー墨出し器を固定した構成のものが知られている。
【特許文献１】特開平５−２１５５５０号公報
【特許文献２】実用新案登録第３０７４１４２号公報
【発明の開示】
【発明が解決しようとする課題】
【０００４】
しかしながら、特許文献１、２の技術では、特に水平ラインが低い場合、三脚の脚部分が影となり、その部分だけ水平ラインが出せないという問題があった。また、レーザー光投射装置の高さ調節や、高い位置での水平ライン出しへの段取り替えに時間を要するという問題もあった。
【０００５】
さらに、２種類の三脚を使用する場合、作業によっては、高さの異なる水平ラインを出す必要がある場合があり、２種類の三脚を用意することは作業効率も悪く、経済的でなかった。
【０００６】
本発明は上記問題点を解消し、三脚の脚部分で影とならずに対象範囲全てに水平ラインを出すことができるレーザー墨出し器用支持機構を提供することを課題とする。
【課題を解決するための手段】
【０００７】
上記課題を解決するため、請求項１に係る発明は、三脚の上部支持台を貫通して支持された垂直支持柱に、レーザー墨出し器用取付座を水平に備えた取付部材を設け、上記取付座を、上記三脚のうちの２つの脚の間で、かつ上記レーザー墨出し器から投射されたレーザー光が上記２つの脚に遮られない位置に突出させて配置したことを特徴とする。
【０００８】
また、請求項２に係る発明は、請求項１において、上記取付部材は、垂直板と取付座とをＬ字形に形成してなり、上記垂直板の上端を上記垂直支持柱の下部に設けられたホルダに着脱可能に設けたことを特徴とする。
【０００９】
さらに、請求項３に係る発明は、請求項１又は２において、上記ホルダは上記垂直支持柱に沿って移動可能に設けられたことを特徴とする。
【発明の効果】
【００１０】
請求項１に係る発明によれば、取付部材の取付座は、三脚のうちの隣り合う２つの脚の間で、かつ上記レーザー墨出し器から投射されたレーザー光が上記２つの脚に遮られない位置に突出配置されているので、レーザー光は三脚にさえぎられることなく投射され、対象範囲全てに水平ラインを出すことができる。作業効率が向上する。
【００１１】
また、請求項２に係る発明は、上記取付部材は、垂直板と取付座とをＬ字形に形成した構成であるから、構造が簡単であり、コストダウンを図ることができる。また、上記垂直板の上端を上記垂直支持柱に設けられたホルダに着脱可能に設けたから、使用しないときは、取付部材をホルダから取り外しておき、三脚は折り畳んでコンパクトに収納することができる。
【００１２】
さらに、請求項３に係る発明によれば、上記ホルダは上記垂直支持柱に沿って移動可能に設けられているから、ホルダを移動させれば、レーザー墨出し器は自動的に垂直方向に移動することになるので、垂直の調整は不要である。
【発明を実施するための最良の形態】
【００１３】
以下、本発明のレーザー墨出し器用支持機構の一実施形態を図に基づいて説明する。
【００１４】
図１は、本発明の一実施形態に係る支持機構の（ａ）平面図および（ｂ）正面図である。
【００１５】
本発明に係るレーザー墨出し器用支持機構は、三脚支持機構１に設けた取付部材２０にレーザー墨出し器６を取り付けてなるものである。
【００１６】
三脚支持機構１は通常の測量機用のものでよく、支持台２の下部に３本の脚４が設けられている。脚４は伸縮可能に構成されている。支持台２には垂直支持柱５が貫通して設けられ、支持台２には垂直支持柱５のラック５ａと噛み合うピニオン（図示せず）が設けられており、ハンドル３を回すことによりピニオンを回転させて、垂直支持柱５を上下動できるように構成されている。
【００１７】
垂直支持柱５は、図示しない締め付けネジを緩めて図示しない棒状気泡管等を使用して垂直状態に固定すればよい。
【００１８】
垂直支持柱５の上端部にはレーザー墨出し器６の取付け台５ｂが取り付けられている。取付け台５ｂにはレーザー墨出し器を取り付けるためのネジ等が設けられている。
【００１９】
次に、取付部材２０は垂直支持柱５にホルダ１０を介して取り付けられている。すなわち、ホルダ１０は、ホルダ本体１１と高さ調節用ブロック１２から構成される。ホルダ本体１１は、図２（ａ）（ｂ）に示されるように、支持台２の下方に位置する垂直支持柱５の任意の位置に、垂直支持柱５を挟み込むようにして取りつけられる。
【００２０】
ホルダ本体１１の一側には垂直支持柱５の直径と略等しいＵ字溝１１ａが形成されている。このＵ字溝１１ａに垂直支持柱が係合し、上記Ｕ字溝１１ａの開口部に押さえ板１５をネジ１６でホルダ本体１１にねじ込み固定することによってホルダ本体１１は垂直支持柱５に沿って移動可能に保持されている。さらに、ホルダ本体１１の上記一側と隣り合う側面には上記Ｕ字溝１１ａに貫通するネジ孔１１ｂが形成されている。このネジ孔には調整ネジ１７が螺合され、調整ネジ１７を回してその先端を垂直支持柱５の側面に押圧させることにより、ホルダ本体１１を所定の位置に固定することができるようになっている。
【００２１】
上記構成によれば、ホルダ１０は上記調整ネジ１７を緩めることにより垂直支持柱５に沿って移動可能となり、適宜位置で調整ネジ１７を締め付けることによりホルダ１０を垂直支持柱５に固定することができる。
【００２２】
また、ホルダ本体１１の他側には高さ調節用ブロック１２が設けられている。ブロック１２は上微調整ネジ１４を回すことで、ガイドピン１３に支持されながら上下動して高さの微調整を行う。
【００２３】
さらに、ブロック１２の上面の両端部には後述の取付部材の支持部１２ａが設けられている。
【００２４】
次に、図３により取付部材２０の一実施形態について説明する。同図（ａ）、（ｂ）、（ｃ）は各々取付部材２０の平面図、左側面図、斜視図である。
【００２５】
取付部材２０は、板金をＬ型に直角に折り曲げたものであり、垂直板２０ａと水平の取付座２０ｂとフック板２０ｃとから形成されている。
【００２６】
垂直板２０ａの上端部の両側にはフック２０ｃが形成されている。取付部材２０は図５に示されるように、フック２０ｃを前記ブロック１２の支持部１２ａに係止させることにより、ホルダ１０のブロック１２に取り付けられる。このため、取付座２０ｂは垂直支持柱５から離間して突出するように配置される。
【００２７】
なお、取付部材２０をホルダ１０に係止装着した状態で取付座２０ｂは水平になるようにしておく。
【００２８】
取付座２０ｂにはレーザー墨出し器６の脚６ａを挿入するための３つの穴２０ｄと、レーザー墨出し器の底部取付用の穴２０ｅとが設けられている。なお、図１は、レーザー墨出し器６が床面に直置された状態で水平ラインを出す場合を示している。
【００２９】
上記取付座２０ｂは、上記三脚のうちの隣り合う２つの脚４の間に配置され、取付座２０ｂにレーザー墨出し器６が取り付けられたとき、上記レーザー墨出し器から投射されたレーザー光が上記２つの脚４に遮られない位置に、上記垂直支持柱５から突出するように配置されている。
【００３０】
なお、レーザー墨出し器６はレーザー光による水平ラインを投射するタイプのレーザー光投射装置を使用する。
【００３１】
次に、レーザー墨出し器用支持機構の使用態様について説明する。
【００３２】
まず、ホルダ１０に取付部材２０を係止装着し、さらに取付部材２０の取付座２０ｂにレーザー墨出し器６をセットする。
【００３３】
例えば、釘打ちのための水平ラインを壁材に表示したいときは、支持台２のハンドル３によりレーザー墨出し器６の高さを大まかに調整し、レーザー光を壁材に投射して調整ネジ１７を緩めてホルダ２０をスライドさせ、再び調整ネジ１７を締め付けて垂直支持柱５の所定位置に固定する。必要ならば、さらにブロック１２の上微調整ネジ１４にて微調整を行う。図１（ｂ）はレーザー墨出し器６を最低位置にした場合の例であり、図４は少し上部位置に調整した場合の例である。垂直支持柱５の可動範囲で調整できないときは、三脚を伸長させればよい。さらに微調整を必要とするときは、さらに上微調整ネジ１４によればよい。
【００３４】
もちろん、水平ラインを高い位置に出したいときは、図６に示されるように、レーザー墨出し器６を支持台２上の取付け台５ｂに装着すればよい。
【００３５】
いずれの場合も、取付部材２０の取付座２０ｂは、上記３つの脚４のうちの隣り合う２つの脚４の間で、かつ上記レーザー墨出し器６から投射されたレーザー光Ｌが上記二脚に遮られない位置に突出配置され、図示の実施形態では投射位置から少なくとも１８０度の投射角が得られる。通常のレーザー墨出し器６の投射角は左右に１５０度程度であるから、レーザー光Ｌは３つの脚４に遮られることなく投射され、作業効率が向上する。
【００３６】
このことから、取付座２０ｂの垂直支持柱５からの突出量は、図１（ａ）（ｂ）に示されるように、レーザー墨出し器６が最低位置にあるときに、レーザー墨出し器６から投射されたレーザー光が両側の脚４に当たらない位置を基準にすればよい。上記２本の脚４は傾いているので、レーザー墨出し器６が上記最低位置から垂直に上昇すればするほど、レーザーの投射口に対応する脚４の高さ部分はだんだんと後方のレーザー光を遮光しない位置に移動していくからである。
【００３７】
また、取付部材２０は、垂直板２０ａと取付座２０ｂとをＬ字形に形成してなる簡単な構造であるから、コストダウンを図ることができ、また、上記垂直板２０ａの上端を上記垂直支持柱５の下部に設けられたホルダ１０に着脱可能に設けたから、使用しないときは、取付部材２０をホルダ１０から取り外しておく。三脚支持機構１は折り畳んでコンパクトに収納することができる。
【００３８】
さらに、上記ホルダ１０は上記垂直支持柱５に沿って移動可能に設けられているから、ホルダ１０を移動させれば、レーザー墨出し器６は自動的に垂直方向に移動することになるので、垂直の調整は不要である。
【図面の簡単な説明】
【００３９】
【図１】（ａ）、（ｂ）は本発明の一実施形態に係る支持機構の平面図および正面図である。
【図２】（ａ）、（ｂ）はレーザー墨出し器の取り付け部のホルダの平面図および正面図である。
【図３】（ａ）、（ｂ）、（ｃ）は取付部材の平面図、正面図および斜視図である。
【図４】（ａ）、（ｂ）は本発明の一実施形態に係る支持機構の平面図および正面図である。
【図５】（ａ）、（ｂ）はホルダおよびブロックを垂直支持柱に取り付けた図、およびレーザー墨出し器を取付部材に取り付けた図である。
【図６】レーザー光の水平ラインが高い場合の支持機構の説明図である。
【符号の説明】
【００４０】
１      三脚支持機構
２      支持台
４      脚
５      垂直支持柱
６      レーザー墨出し器
１０    ホルダ
１１    ホルダ本体
２０    取付部材
２０ａ  垂直板
２０ｂ  取付座
【図１】
2007163281.tif 000003
【図２】
2007163281.tif 000004
【図３】
2007163281.tif 000005
【図４】
2007163281.tif 000006
【図５】
2007163281.tif 000007
【図６】
2007163281.tif 000008